(57)【要約】【課題】画像形成装置に含まれる画像形成部に互いに異なる内径を有する複数の種類のロール紙から用紙を給紙する場合に、ロール紙の浮き上がりによる用紙の弛みの発生を防止して、安定してロール紙を搬送することができるフランジ方式のロール紙給紙装置を提供する。【解決手段】異なる内径を有するそれぞれのロール紙の端部に対応して取り付けられた互いに異なる外径を有するフランジ部材１ａを回転可能に支持するとともに、異なる内径のロール紙が交換可能なフランジ受け部３を備える。フランジ受け部３は、各ロール紙に共通して設けられ、ロール紙に取り付けられているフランジ部材１ａに当接して複数種類のロール紙のいずれをも回転可能に支持する共通支持コロ２５と、複数種類のロール紙のそれぞれに対応して設けられ、対応するロール紙に取り付けられているフランジ部材に当接してロールを回転可能に支持する支持コロ２７、２８とを有する。支持コロ２７、２８は、ロール紙の回転軸の方向から視たときに、互いに異なる位置に設けられている。【選択図】図２
2010284826.tif 000002
【特許請求の範囲】
【請求項１】
用紙上に画像を形成する画像形成部に向けて互いに異なる内径を有する複数種類のロール紙から用紙を給紙可能なロール紙給紙装置において、
異なる内径を有するそれぞれの前記ロール紙の端部に対応して取り付けられた互いに異なる外径を有するフランジ部材を回転可能に支持するとともに、異なる内径の該ロール紙が交換可能なフランジ受け部を備え、
前記フランジ受け部は、
前記各ロール紙に共通して設けられ、前記ロール紙に取り付けられている前記フランジ部材に当接して前記ロール紙のいずれをも回転可能に支持する共通支持コロと、
前記ロール紙のそれぞれに対応して設けられ、対応する前記ロール紙に取り付けられている前記フランジ部材に当接して前記ロール紙を回転可能に支持する支持コロと
を有し、
前記支持コロは、前記ロール紙の回転軸の方向から視たときに、互いに異なる位置に設けられていることを特徴とするロール紙給紙装置。
【請求項２】
前記支持コロは、
前記ロール紙のうち内径が小さい方の第１のロール紙に対応し、該第１のロール紙に対応する第１のフランジ部材が前記共通支持コロに第１の位置で当接する第１の支持コロと、
前記ロール紙のうち内径が大きい方の第２のロール紙に対応し、該第２のロール紙に対応する第２のフランジ部材が前記共通支持コロに第２の位置で当接する第２の支持コロと
を含み、
前記第１の位置の鉛直方向の高さは、前記第２の位置の鉛直方向の高さよりも低いことを特徴とする請求項１に記載のロール紙給紙装置。
【請求項３】
前記第１の支持コロ及び前記第２の支持コロは、前記ロール紙の回転軸に垂直な同一の面内に設けられていることを特徴とする請求項２に記載のロール紙給紙装置。
【請求項４】
前記第１の支持コロ及び前記第２の支持コロは、前記ロール紙の回転軸に垂直であって互いに異なる面内に設けられていることを特徴とする請求項２に記載のロール紙給紙装置。
【請求項５】
前記第１の支持コロ及び前記第２の支持コロは、前記第１のフランジ部材又は前記第２のフランジ部材のそれぞれに当接する当接面の摩擦係数が互いに異なることを特徴とする請求項２から請求項４のいずれかに記載のロール紙給紙装置。
【請求項６】
前記共通支持コロは、前記ロール紙から用紙を給紙する方向と反対の方向に前記ロール紙に用紙を巻き戻す回転駆動力を伝達することを特徴とする請求項１から請求項５のいずれかに記載のロール紙給紙装置。
【請求項７】
用紙上に画像を形成する画像形成部と、
請求項１から請求項６のいずれかに記載のロール紙給紙装置と
を備えた画像形成装置。
【発明の詳細な説明】
【技術分野】
【０００１】
本発明は、ロール紙等のロール型シート媒体を給紙するロール紙給紙装置に関し、またそのロール紙給紙装置を搭載するプリンタ、プロッタ、ファックス、複写機等の画像形成装置に関する。
【背景技術】
【０００２】
Ａ０サイズやＡ１サイズといった大サイズの図面原稿等を取り扱う大型の複写機、プリンタ等の電子写真式画像形成装置、又はその他の印刷装置においては、大サイズのシート媒体である用紙上に画像形成を行う。シート媒体である用紙を取り扱う際の利便性を向上させるため、シート媒体としてロール紙を装備し、ロール紙からシート媒体を繰り出し、画像形成部へ給紙するロール紙給紙装置が用いられてきた。ロール紙は、巻き芯としての紙管に長尺の用紙が巻かれた構造を有するものであり、ロール紙給紙装置において回転可能に支持され、回転速度に対応して所定の線速で繰り出され、画像形成部へ給紙される。
【０００３】
このようなロール紙をロール紙給紙装置内で回転可能に支持する支持方式としては、従来、様々なサイズのロール紙に対応するために、スプール方式又はフランジ方式が用いられてきた。
【０００４】
スプール方式は、ロール紙の紙管内にスプールを通すことによってロール紙を回転可能に支持する方式である。スプール方式には、ロール紙を巻戻す巻戻し機構等を設ける場合に、スプールに駆動伝達機構を容易に設けることができ、ロール紙を容易に回転駆動することができるという利点がある。また、スプール方式には、スプール軸に駆動伝達機構を嵌合させることにより、ロール紙を搬送する際にロール紙が浮き上がることを防止することが容易であるという利点がある。しかしながら、スプール方式には、ロール紙の交換、補充の際にロール紙の紙管に長いスプールを通す作業を行わなければならず、ユーザにとって操作性に劣るという欠点がある。
【０００５】
一方、フランジ方式は、ロール紙の両端から紙管内にフランジ部材を挿入し、フランジ部材を回転可能に支持することによってロール紙を回転可能に支持する方式である。フランジ方式には、ロール紙の交換、補充の際にロール紙の両端から紙管内にフランジ部材を挿入する作業を行うだけでよく、ユーザにとって操作性に非常に優れるという利点がある（例えば特許文献１参照）。
【発明の概要】
【発明が解決しようとする課題】
【０００６】
ところが、このようなフランジ方式のロール紙給紙装置においては、以下のような問題があった。
【０００７】
特許文献１に開示するような受けコロを用いる方式では、受けコロによりロール紙を巻戻す場合がある。また、ロール紙を巻戻す駆動力の伝達をフランジ部材の外周面と受けコロの外周面との間の摩擦力により行う場合がある。このような場合、フランジ部材は受けコロに載っただけの状態であるため、ロール紙を順送り方向に搬送する際の搬送の開始又は停止の際に受けコロから浮き上がるという問題がある。
【０００８】
特に、ロール紙給紙装置を画像形成装置としてインクジェット方式のプリンタに適用する場合、ライン毎に一旦停止して画像形成を行うため、ロール紙を間欠搬送させる場合がある。このような間欠搬送の際には、ロール紙を回転始動させる立ち上げ時間がより短いため、ロール紙が受けコロから浮き上がり、回転が不安定になり、ブレーキ力不足が生じて用紙の弛みが発生し、スキューが発生する等の問題がある。
【０００９】
更に、シート媒体としてのロール紙には、紙管の内径のサイズが例えば２インチ、３インチ等の複数の種類のものがある。これら異なる内径を有する複数の種類のロール紙のうちのあるロール紙を、そのロール紙と異なる内径を有するロール紙と交換したときに、それらの間で重量、重心の違いが生ずるため、ロール紙が浮き上がることを防止するための条件が互いに大きく異なる場合がある。
【００１０】
また、ロール紙を巻戻す巻戻し速度が一定である場合、ロール紙の残量が減少するのに伴ってロール紙の重量が減少し、それに伴って受けコロのスリップ量が大きくなるという問題がある。受けコロのスリップ量が大きくなると、弛みを発生することなく連続して巻き戻すことができないため、長い距離に亘ってロール紙を巻戻すことができないという問題がある。
【００１１】
ロール紙の浮き上がりを防止するための方式として、磁力を用いてフランジ部材と受けコロとの間の駆動力を伝達する方式もある。しかし、磁力を用いる方式は、新規に電磁石装置を設けなくてはならないため、ロール紙給紙装置が複雑化し、高価になるという問題がある。
【００１２】
本発明は上記の点に鑑みてなされたものであり、紙管の内径が異なる複数の種類のいずれのロール紙を用いる場合に、ロール紙の浮き上がりによる用紙の弛みの発生を防止して安定してロール紙を搬送することができるフランジ方式のロール紙給紙装置を提供することを目的とする。
【課題を解決するための手段】
【００１３】
第１の発明は、用紙上に画像を形成する画像形成部に向けて互いに異なる内径を有する複数種類のロール紙から用紙を給紙可能なロール紙給紙装置において、異なる内径を有するそれぞれの前記ロール紙の端部に対応して取り付けられた互いに異なる外径を有するフランジ部材を回転可能に支持するとともに、異なる内径の該ロール紙が交換可能なフランジ受け部を備え、前記フランジ受け部は、前記各ロール紙に共通して設けられ、前記ロール紙に取り付けられている前記フランジ部材に当接して前記ロール紙のいずれをも回転可能に支持する共通支持コロと、前記ロール紙のそれぞれに対応して設けられ、対応する前記ロール紙に取り付けられている前記フランジ部材に当接して前記ロール紙を回転可能に支持する支持コロとを有し、前記支持コロは、前記ロール紙の回転軸の方向から視たときに、互いに異なる位置に設けられていることを特徴とする。
【００１４】
第２の発明は、第１の発明に係るロール紙給紙装置において、前記支持コロは、前記ロール紙のうち内径が小さい方の第１のロール紙に対応し、該第１のロール紙に対応する第１のフランジ部材が前記共通支持コロに第１の位置で当接する第１の支持コロと、前記ロール紙のうち内径が大きい方の第２のロール紙に対応し、該第２のロール紙に対応する第２のフランジ部材が前記共通支持コロに第２の位置で当接する第２の支持コロとを含み、前記第１の位置の鉛直方向の高さは、前記第２の位置の鉛直方向の高さよりも低いことを特徴とする。
【００１５】
第３の発明は、第２の発明に係るロール紙給紙装置において、前記第１の支持コロ及び前記第２の支持コロは、前記ロール紙の回転軸に垂直な同一の面内に設けられていることを特徴とする。
【００１６】
第４の発明は、第２の発明に係るロール紙給紙装置において、前記第１の支持コロ及び前記第２の支持コロは、前記ロール紙の回転軸に垂直であって互いに異なる面内に設けられていることを特徴とする。
【００１７】
第５の発明は、第２から第４のいずれかの発明に係るロール紙給紙装置において、前記第１の支持コロ及び前記第２の支持コロは、前記第１のフランジ部材又は前記第２のフランジ部材のそれぞれに当接する当接面の摩擦係数が互いに異なることを特徴とする。
【００１８】
第６の発明は、第１から第５のいずれかの発明に係るロール紙給紙装置において、前記共通支持コロは、前記ロール紙から用紙を給紙する方向と反対の方向に前記ロール紙に用紙を巻き戻す回転駆動力を伝達することを特徴とする。
【００１９】
第７の発明は、用紙上に画像を形成する画像形成部と、第１から第６のいずれかの発明に係るロール紙給紙装置とを備えた画像形成装置である。
【発明の効果】
【００２０】
本発明によれば、フランジ方式のロール紙給紙装置において、紙管の内径が異なる複数の種類のいずれのロール紙を用いる場合に、ロール紙の浮き上がりによる用紙の弛みの発生を防止し、安定してロール紙を搬送することができる。
【図面の簡単な説明】
【００２１】
【図１】本発明の第１の実施の形態に係るインクジェット方式のプリンタの全体構成を模式的に示す概略構成図である。
【図２】本発明の第１の実施の形態に係るインクジェット方式のプリンタにおけるロール紙給紙部（ロール紙給紙装置）を、ロール紙の回転軸の方向から視た図である。
【図３】本発明の第１の実施の形態に係るインクジェット方式のプリンタにおけるロール紙給紙部（ロール紙給紙装置）を、ロール紙の回転軸の方向から視た図である。
【図４】本発明の第１の実施の形態に係るロール紙給紙装置を、フランジ受け台にフランジ部材が載置されていない状態でフランジ受け台より上方から視た上面図である。
【図５】本発明の第１の実施の形態に係るロール紙給紙装置を、フランジ受け台にフランジ部材が載置されていない状態でフランジ受け台より内側から視た斜視図である。
【図６】本発明の第１の実施の形態に係るロール紙給紙装置を、フランジ受け台にフランジ部材が載置されている状態でフランジ受け台より内側から視た斜視図である。
【図７】本発明の第１の実施の形態に係るロール紙給紙装置において、ロール紙の回転軸の方向から視た場合におけるフランジ、中継コロ及び支持コロの関係を模式的に示す図である。
【図８】本発明の第１の実施の形態に係るロール紙給紙装置において、フランジ、中継コロ及び支持コロの関係を模式的に示す上面図である。
【図９】本発明の第１の実施の形態に係るロール紙給紙装置において、２インチの内径を有するロール紙が浮き上がりにくくなる作用効果を説明するための図である。
【図１０】従来のロール紙給紙装置において支持コロが１つのみ設けられている例を示す図である。
【図１１】本発明の第２の実施の形態に係るロール紙給紙装置を、フランジ受け台にフランジ部材が載置されていない状態でロール紙の回転軸の方向から視た図である。
【図１２】本発明の第２の実施の形態に係るロール紙給紙装置を、フランジ受け台に２インチ用の第１のフランジ部材が載置されている状態でロール紙の回転軸の方向から視た図である。
【図１３】本発明の第２の実施の形態に係るロール紙給紙装置を、フランジ受け台に３インチ用の第２のフランジ部材が載置されている状態でロール紙の回転軸の方向から視た図である。
【図１４】本発明の第２の実施の形態に係るロール紙給紙装置を、フランジ受け台にフランジ部材が載置されていない状態で上方から視た上面図である。
【図１５】本発明の第２の実施の形態に係るロール紙給紙装置を、フランジ受け台に２インチ用の第１のフランジ部材が載置されている状態で上方から視た上面図である。
【図１６】本発明の第２の実施の形態に係るロール紙給紙装置を、フランジ受け台に３インチ用の第２のフランジ部材が載置されている状態で上方から視た上面図である。
【発明を実施するための形態】
【００２２】
次に、本発明を実施するための形態について図面と共に説明する。
（第１の実施の形態）
図１から図１１を参照し、本発明の第１の実施の形態に係るロール紙給紙装置及びインクジェット方式のプリンタを説明する。
【００２３】
なお、本実施の形態に係るインクジェット方式のプリンタは、本発明における画像形成装置に相当する。
【００２４】
始めに、図１を参照し、インクジェット方式のプリンタの全体構成を説明する。図１は、本実施の形態に係るインクジェット方式のプリンタの全体構成を模式的に示す概略構成図である。
【００２５】
図１に示すように、本実施の形態に係るインクジェット方式のプリンタ３０は、ロール紙給紙部５、５ａ、５ｂと、画像形成部２３とを備える。ロール紙給紙部５、５ａ、５ｂは、本発明におけるロール紙給紙装置に相当する。すなわち、本実施の形態に係るインクジェット方式のプリンタ３０は、ロール紙給紙装置を３台備えている。
【００２６】
図１に示すように、画像形成部２３は、用紙テンション付加手段１０と、レジストローラ１３と、レジスト加圧ローラ１４と、ヘッド１５と、キャリッジ１６と、主走査ステー１７と、チャンバー１８と、吸引ファン１９と、カッター２０と、反転排紙用紙ガイド２１と、排紙トレー２２とを有する。用紙テンション付加手段１０は、内周側の揺動可能なスプリング１１と、駆動モータ１２とを有する。
【００２７】
次に、図１から図３を参照し、本実施の形態に係るインクジェット方式のプリンタのロール紙給紙部（ロール紙給紙装置）の概略構成について説明する。
【００２８】
図２及び図３は、本実施の形態に係るインクジェット方式のプリンタにおけるロール紙給紙部（ロール紙給紙装置）を、ロール紙の回転軸の方向から視た図である。図２は、フランジ受け台に２インチの内径を有するロール紙に対応する２インチ用の第１のフランジが載置されている状態を示す。図３は、フランジ受け台に３インチの内径を有するロール紙に対応する３インチ用の第２のフランジが載置されている状態を示す。
【００２９】
なお、本実施の形態に係るフランジ受け台は、本発明におけるフランジ受け部に相当する。
【００３０】
図１及び図２（又は図３）に示すように、本発明のロール紙給紙装置に相当するロール紙給紙部５は、フランジ部材１ａ（又は１ｂ）と、ロール紙２ａ（又は２ｂ）と、フランジ受け台３と、巻き戻しローラ４と、給紙ローラ６と、駆動装置７とを備えている。
【００３１】
フランジ部材１ａ（又は１ｂ）は円盤状に形成され、フランジ部材１ａ（又は１ｂ）の外径はロール紙２ａ（又は２ｂ）の最大外径よりも小さくなっている。フランジ部材１ａ（又は１ｂ）は、ロール紙２ａ（又は２ｂ）の紙管（巻き芯）の軸方向に沿って両端にそれぞれ同軸上に固定されている。
【００３２】
ロール紙２は、紙管（巻き芯）の外周に長尺用紙が巻かれている。ロール紙には紙管（巻き芯）の径が異なる複数のサイズを有するものがあり、本実施形態に係るインクジェット方式のプリンタ３０では、ロール紙の紙管（巻き芯）として、一般的なサイズである２インチ又は３インチの内径を有するもの（以下、「２インチ及び３インチの２種類のロール紙」といい、それぞれを「２インチのロール紙」、「３インチのロール紙」という。）が使用可能である。また、ロール紙２のそれぞれは、紙管が２インチ又は３インチの内径を有するものに対応する。
【００３３】
また、以下、本実施の形態及び第２の実施の形態では、２インチのロール紙及び３インチのロール紙は、それぞれ本発明における第１のロール紙及び第２のロール紙に相当する。また、以下、本実施の形態及び第２の実施の形態では、一例として、第１のフランジ部材１ａを２インチ用のフランジ部材であるとし、第２のフランジ部材１ｂを３インチ用のフランジ部材であるとする。
【００３４】
フランジ受け台３は、中継コロ２５を１つ備えている。またフランジ受け台３は、支持コロを２つ備えている。２つの支持コロを、第１の支持コロ２７及び第２の支持コロ２８とする。図２（又は図３）に示すように、フランジ受け台３には、フランジ部材１ａ（又は１ｂ）が載置されている。フランジ受け台３は、異なる内径を有するそれぞれのロール紙（２インチのロール紙及び３インチのロール紙）の端部に対応して取り付けられた互いに異なる外径を有するフランジ部材１ａ（又は１ｂ）の外周面を回転自在に支持している。また、フランジ受け台３において、異なる内径を有するそれぞれのロール紙（２インチのロール紙及び３インチのロール紙）が交換可能である。
【００３５】
中継コロ２５は、フランジ受け台３の一端（給紙ローラ６側）でフランジ部材１ａ（又は１ｂ）の当接部の外周面に当接して支持するとともに、巻戻しローラ４とも当接（又は接触若しくは係合）している。中継コロ２５は、２インチ及び３インチの２種類のロール紙に共通して設けられており、フランジ部材１ａ（又は１ｂ）のいずれにも当接し、２インチ及び３インチの２種類のロール紙のいずれをも回転可能に支持する。
【００３６】
第１の支持コロ２７、第２の支持コロ２８は、フランジ受け台３の他端でフランジ部材１ａ（又は１ｂ）の当接部の外周面に当接して支持する。第１の支持コロ２７、第２の支持コロ２８は、紙管の内径が２インチ及び３インチの２種類のロール紙のそれぞれに対応して設けられており、対応するロール紙に取り付けられているフランジ部材に当接してロール紙を回転可能に支持する。本実施の形態では、一例として、第１の支持コロ２７が２インチのロール紙に対応し、第２の支持コロ２８が３インチのロール紙に対応している。
【００３７】
巻戻しローラ４は、図４から図６を用いて後述するように、ロール紙２の両端に位置している２つのフランジ受け台３の中継コロ２５と接触するように長尺に形成される。巻戻しローラ４は、駆動装置７に駆動され、ロール紙２ａ（又は２ｂ）に用紙を巻戻す。具体的には、巻戻しローラ４−中継コロ２５−フランジ部材１ａ（又は１ｂ）への摩擦接触によって、駆動装置７からの駆動力が巻戻しローラ４に伝達され、フランジ部材１ａ（又は１ｂ）を逆回転させる。すなわち、中継コロ２５は、巻戻しローラ４からの駆動力をフランジ部材１に中継伝達するものであり、本発明における共通支持コロに相当する。
【００３８】
巻戻しローラ４には、クラッチ機構として、図示しないワンウェイクラッチが接続されている。すなわち、巻き戻しローラ４はワンウェイクラッチを備えている。ワンウェイクラッチは、駆動装置７からの駆動力を、巻き戻し回転の際には伝達し、順送り回転の際には遮断する。
【００３９】
給紙ローラ６は、１組のローラ対から構成され、駆動装置７からの駆動によってロール紙２からの用紙をローラ対の間を通して順送り方向に搬送するように回転し、ロール紙２から用紙を用紙テンション付加手段１０へ搬送する。
【００４０】
駆動装置７は、例えばモータ等で構成され、ロール紙２からの用紙を順方向へ搬送するための駆動力、又はロール紙２に用紙を巻き戻すための駆動力を、給紙ローラ６や巻戻しローラ４に与える。
【００４１】
ロールトレイ上８には、フランジ部材、ロール紙、フランジ受け台、巻き戻しローラ、給紙ローラから構成されるロール紙給紙部５ａがもう１組設けられている。更に、ロールトレイ下９は、ロールトレイ上８の下方に設置され、上述した構成のロール紙給紙部５ｂがもう１組設けられている。すなわち、本実施の形態に係るインクジェット方式のプリンタ３０は、ロール紙給紙部５、５ａ、５ｂを３台備えている。
【００４２】
次に、図１から図３を参照し、インクジェット方式のプリンタにおけるロール紙の給紙及び画像形成の動作について説明する。
【００４３】
始めに、ロール紙給紙装置５から画像形成部２３に向けてロール紙から用紙を順送り方向に給紙する順送り動作について説明する。
【００４４】
ロール紙給紙装置５から画像形成部２３に向けてロール紙２を順送り方向に給紙する際、駆動装置７が正回転して、図１から図３において、給紙ローラ６を反時計回りに回転させ、ロール紙２から用紙を送り出す。ロール紙２から用紙を送り出す際、ロール紙２に取り付けられたフランジ部材１ａ（又は１ｂ）が反時計回りの方向に回転するのに伴い、中継コロ２５は時計回りの方向に回転する。また、ロール紙２から用紙を送り出す際、駆動装置７の用紙を順方向へ搬送するための回転駆動力は、図示しないワンウェイクラッチにより巻戻しローラ４へ伝達されない。従って、巻戻しローラ４は駆動装置７に回転駆動されることはなく、ロール紙２から中継コロ２５を介して中継伝達された駆動力により、反時計周りの方向に回転する。中継コロ２５と巻戻しローラ４の間、更には中継コロ２５とフランジ部材１ａ（又は１ｂ）の間には若干滑りが生じる。一方、給紙ローラ６とロール紙２との間には用紙の弛みは生じない。
【００４５】
一方、ロール紙２から給紙される用紙に画像を形成する画像形成は、ロール紙２ａ（又は２ｂ）の給紙方向に垂直な方向に所定の時間内に行われる必要がある。従って、所定の時間毎に搬送と停止を繰り返す間欠搬送を行う。間欠搬送を行ってロール紙２から用紙を送り出す場合、停止時に給紙ローラ６とフランジ部材１ａ（又は１ｂ）との間でロール紙２が弛むことがないように、給紙ローラ６の回転が停止するのと略同時か又は給紙ローラ６の回転が停止するよりも早くフランジ部材１ａ（又は１ｂ）の回転を停止させる必要がある。
【００４６】
そこで、ロール紙２から用紙を送り出す時は、巻戻しローラ４を固定してフランジ部材１ａ（又は１ｂ）にブレーキ力をかけながら行う。フランジ部材１ａ（又は１ｂ）にブレーキをかける一つの方法としては、例えばワンウェイクラッチによってフランジ部材にブレーキをかけた状態にし、ブレーキがかけられた状態でロール紙２から用紙を送り出すことができる。
【００４７】
このようにして給紙ローラ６から搬送された用紙は、用紙搬送路中に形成された用紙テンション付加手段１０へと搬送される。用紙テンション付加手段１０は、基本的に内周側の揺動可能な搬送ガイド１０ａとスプリング１１とから構成されており、繰り出される用紙のテンションに対するバッファ機能も果たしている。
【００４８】
用紙テンション付加手段１０の更に下流側のレジストローラ１３とレジスト加圧ローラ１４の間に搬送された用紙は、チャンバー１８上のプラテン板上に搬送される。チャンバー１８の下に配置された吸気ファン１９によってチャンバー内に負圧が形成され、プラテン板に設けられた複数の穴によって、用紙はプラテン板上に吸い付けられ、用紙の平面度が維持される。
【００４９】
プラテン板の上には、インクを吐出するためのヘッド１５を搭載したキャリッジ１６が配置されており、キャリッジ１６は主走査ステー１７に沿って用紙の幅方向に往復し、インクをプラテン板上の用紙に向かって吐出し、用紙に画像を形成する。用紙はヘッド１５の幅に対応してキャリッジ１６が移動するたびにレジストローラ１３より所定の長さ分が送り出される（間欠搬送）。また、画像形成が終わると、カッター２０において、所定の長さにカットされ、反転排紙用紙ガイド２１に沿って搬送され、排紙トレー２２に排出される。
【００５０】
次に、順送り方向と反対方向に用紙をロール紙に巻き戻す巻戻し動作について説明する。
【００５１】
画像形成部２３からロール紙給紙装置５のロール紙２ａ（又は２ｂ）に向けて用紙を巻き戻す際、駆動装置７が逆回転し、給紙ローラ６を時計回りに回転させる。用紙を巻戻す際には、図示しないワンウェイクラッチが駆動力を巻戻しローラ４に伝えるので、巻戻しローラ４は時計回りの方向に回転し、巻戻しローラ４に当接する中継コロ２５は反時計回りの方向に回転し、中継コロ２５に当接するフランジ部材１ａ（又は１ｂ）は時計回りの方向に回転する。それに伴って、ロール紙２ａ（又は２ｂ）も時計回りの方向に回転し、ロール紙２ａ（又は２ｂ）から繰り出されていた用紙の先端をカッター２０から所定の待機場所まで戻す。
【００５２】
待機位置には２箇所がある。１箇所は、通常待機される位置であり、レジストローラ１３とレジスト加圧ローラ１４とで挟持される位置である。一方、もう１箇所は、引続いての画像形成が紙管の異なる別のサイズの用紙に行われる場合における待機場所であり、各ロール紙からの用紙合流部よりも上流側の位置である。ロール紙２の用紙の先端が所定の待機位置まで戻っているか否かは周知のセンサによって認識される。巻戻しに際し、給紙ローラ６、巻戻しローラ４は等速で回転するものの、巻戻しローラ４の回転によって中継コロ２５、フランジ部材１ａ（又は１ｂ）を介して回転させられるロール紙２は継続的に（使用につれて）径が細くなるため、次第に用紙巻取り量（巻取り長さ）が減少する。
【００５３】
ロール紙２ａ（又は２ｂ）はその外径が小さいほど一回転当りの巻取り量が少なくなる。また、各回転体の相対サイズは、ロール紙２の残量が僅かであっても巻戻しの際に給紙ローラ６、巻戻しローラ４、中継コロ２５、フランジ部材１の回転によって用紙の弛みが発生しないように設定されている。従って、ロール紙２ａ（又は２ｂ）の残量が多く外径が大きい間は、巻戻しローラ４の回転によって、給紙ローラ６の回転量に対応する用紙の巻戻し量よりも長く用紙が巻き戻され、給紙ローラ６で用紙が摺擦しながら巻き戻される。
【００５４】
次に、図２から図６を参照し、本実施の形態に係るインクジェット方式のプリンタにおけるロール紙給紙部のフランジ受け台の詳細な構成について説明する。
【００５５】
図４は、本実施の形態に係るロール紙給紙装置を、フランジ受け台にフランジ部材が載置されていない状態でフランジ受け台より上方から視た上面図である。図５は、本実施の形態に係るロール紙給紙装置を、フランジ受け台にフランジ部材が載置されていない状態でフランジ受け台より内側から視た斜視図である。図６は、本実施の形態に係るロール紙給紙装置を、フランジ受け台にフランジ部材が載置されている状態でフランジ受け台より内側から視た斜視図である。
【００５６】
図４又は図５に示すように、本実施の形態に係るロール紙給紙部（ロール紙給紙装置）５において、フランジ受け台３は、ロールトレイ上８又はロールトレイ下９に設けられた受け台位置決めステー３１に取り付けられている。また、フランジ受け台３は、回転可能に支持されるロール紙の両端に対応し、受け台位置決めステー３１に２箇所設けられている。また、中継コロ２５、第１の支持コロ２７及び第２の支持コロ２８は、支持されるロール紙の回転軸に垂直な同一の面内に設けられている。また、巻戻しローラ４は、ロール紙２の両端に位置している２つのフランジ受け台３の中継コロ２５と接触するように長尺に形成される。
【００５７】
図２、図３及び図５に示すように、フランジ受け台３は、支持されるロール紙の回転軸に沿う手前側の収容壁３２と、支持されるロール紙の回転軸に沿う手前側と反対側である外側の収容壁３３のそれぞれに、フランジ部材１ａ（又は１ｂ）の当接部の形状に対応して略半円形の切欠き部３２ａ、３３ａが設けられている。また、外側の収容壁３３に設けられる略半円形の切欠き部３３ａは、手前側の収容壁３２に設けられる略半円形の切欠き部３２ａよりも大きく切欠かれていてもよい。
【００５８】
２インチ用の第１のフランジ部材１ａとフランジ受け台３との関係は、図２に示される。２インチ用の第１のフランジ部材１ａの当接部３６ａは、中継コロ２５及び支持コロ２７と当接して回転可能に支持されている。２インチ用の第１のフランジ部材１ａと支持コロ２８とは当接（又は接触）していない。また、２インチ用の第１のフランジ部材１ａには、中継コロ２５及び第１の支持コロ２７と当接して回転可能に支持されている当接部３６ａから突き当て部３７ａを介し、嵌合部３８ａが設けられている。
【００５９】
３インチ用の第２のフランジ部材１ｂとフランジ受け台３との関係は、図３に示される。３インチ用の第２のフランジ部材１ｂの当接部３６ｂは、中継コロ２５及び支持コロ２８と当接して回転可能に支持されている。３インチ用の第２のフランジ部材１ｂと支持コロ２７とは当接（又は接触）していない。また、３インチ用の第２のフランジ部材１ｂには、中継コロ２５及び第２の支持コロ２８と当接して回転可能に支持されている当接部３６ｂから突き当て部３７ｂを介し、嵌合部３８ｂが設けられている。
【００６０】
また、図５に示すように、フランジ受け台３の第１の支持コロ２７が設けられている側に、フランジ部材１ａ（又は１ｂ）を取り付けた状態でロール紙２をフランジ受け台３に載置する際のガイドとなるように、テーパ部３４を設けてもよい。また、図５に示すように、フランジ受け台３のロール紙の回転軸に沿う手前側に隣接して、ロール紙２から用紙を給紙する際のガイドとなるように、テーパ部３５を設けてもよい。
【００６１】
このように構成されたフランジ受け台３は、ロール紙２の両端にフランジ部材が取り付けられるのに対応し、ロール紙２の回転軸方向に沿って両端から等距離にある中心点を通り、回転軸に垂直な面を中心として略面対称になるように、更にもう一つがロール紙２の他端に対応して設けられる。すなわち、フランジ受け台３は、左右一対になるように、設けられる。
【００６２】
図５に示すようなフランジ受け台に、ロール紙に取り付けられたフランジ部材１ｂが載置されている様子を図６に示す。ただし、図６においては、理解を容易にするために、ロール紙を図示していない。図５及び図６に示すように、フランジ部材１ｂは、フランジ受け台３の中継コロ２５及び第１の支持コロ２７又は第２の支持コロ２８によって、ロール紙２に取り付けられたフランジ部材１ｂが回転可能に支持されるとともに、フランジ受け台３の収容壁３２、３３によって、フランジ部材１ｂが取り付けられたロール紙２が回転軸に沿う方向に移動しないように拘束されている。
【００６３】
次に、図７及び図８を参照し、本実施の形態におけるロール紙の回転軸の方向から視たときの、２インチ用の第１の支持コロが設けられる位置及び３インチ用の第２の支持コロが設けられる位置について説明する。
【００６４】
図７は、本実施の形態に係るロール紙給紙装置において、ロール紙の回転軸の方向から視た場合におけるフランジ、中継コロ及び支持コロの関係を模式的に示す図である。図７では、給紙ローラ６も合わせて図示されている。図８は、本実施の形態に係るロール紙給紙装置において、フランジ、中継コロ及び支持コロの関係を模式的に示す上面図である。
【００６５】
本実施の形態では、２インチ及び３インチの２種類のいずれのロール紙にも対応できるように、外形（外径）が異なる２インチ用及び３インチ用の２種類のフランジ部材１ａ、１ｂが用いられる。それに伴って、フランジ受け台には、それぞれ２種類のフランジ部材１ａ、１ｂに対応する第１の支持コロ２７、第２の支持コロ２８が設けられている。
【００６６】
第１の支持コロ２７、第２の支持コロ２８は、２インチ及び３インチの２種類のロール紙のうちいずれのロール紙にも対応できるように、支持されるロール紙の回転軸の方向から視たときに、異なる２つの位置に設けられる。第１の支持コロ２７、第２の支持コロ２８のそれぞれは、２種類のロール紙のそれぞれを支持する際に、２種類のフランジ部材のそれぞれに当接する。
【００６７】
図８に示すように、第２の支持コロ２８は、第１の支持コロ２７を含み、回転可能に支持されるロール紙の回転軸に垂直な同一の面内に設けられている。換言すれば、３インチ用の第２の支持コロ２８は、２インチ用の第１の支持コロ２７と、回転可能に支持されるロール紙の回転軸に沿った同一の位置に設けられる。また、２インチ用の第１の支持コロ２７及び３インチ用の第２の支持コロ２８は、ロール紙の回転軸の方向から視たときに、互いに異なる位置に設けられている。
【００６８】
図７に示すように、２インチ用の第１の支持コロ２７及び３インチ用の第２の支持コロ２８は、ロール紙２から用紙が給紙される際に、３インチ用の第２の支持コロ２８よりも２インチ用の第１の支持コロ２７が、中継コロ２５の第１の支持コロ２７側と反対の側（本実施の形態では、中継コロ２５のロール紙からの用紙の繰り出される側と反対側）に浮き上がりにくい位置に設けられる。
【００６９】
具体的には、２インチ用の第１の支持コロ２７は、２インチの第１のロール紙２ａに対応し、２インチの第１のロール紙２ａに対応する２インチ用の第１のフランジ部材１ａが中継コロ２５に第１の位置Ｐ１で当接するように設けられる。また、３インチ用の第２の支持コロ２８は、３インチの第２のロール紙２ｂに対応し、３インチの第２のロール紙２ｂに対応する３インチ用の第２のフランジ部材１ｂが中継コロ２５に第２の位置Ｐ２で当接するように設けられる。このとき、第１の位置Ｐ１の鉛直方向の高さは、第２の位置Ｐ２の鉛直方向の高さよりも低い。
【００７０】
すなわち、２インチ用の第１の支持コロ２７及び３インチ用の第２の支持コロ２８は、２インチ用の第１のフランジ部材１ａが、３インチ用の第２のフランジ部材１ｂが中継コロ２５に支持される第２の位置Ｐ２よりも低い第１の位置Ｐ１において、中継コロ２５に当接するように設けられる。
【００７１】
図７に示すように、ロール紙の回転軸の方向から視たときの、中継コロ２５の中心をＣ０とし、２インチ用の第１のフランジ部材１ａの中心をＣ１とし、３インチ用の第２のフランジ部材１ｂの中心をＣ２とする。また、Ｃ０を通り鉛直方向に沿う直線をＬ０とし、Ｃ０とＣ１とを通る直線をＬ１とし、Ｃ０とＣ２とを通る直線をＬ２とする。また、直線Ｌ０と直線Ｌ１との間の角度をθ１とし、直線Ｌ０と直線Ｌ２との間の角度をθ２とする。このような位置関係を仮定するとき、２インチ用の第１のフランジ部材１ａが、３インチ用の第２のフランジ部材１ｂが中継コロ２５に支持される位置Ｐ２よりも低い位置Ｐ１において、中継コロに当接するように設けられるというのは、θ１＞θ２に相当する。
【００７２】
更に、本実施の形態では、図８に示すように、２インチ用の第１の支持コロ２７及び３インチ用の第２の支持コロ２８が、ロール紙の回転軸に垂直な同一の面内に設けられているため、２インチ用の第１の支持コロ２７は、３インチ用の第２のフランジ部材１ｂが、中継コロ２５及び３インチ用の第２の支持コロ２８に支持される際に、２インチ用の第１の支持コロ２７に接触しないような位置に設けられている。すなわち、ロール紙の回転軸の方向から視たときに、図７に示すように、２インチ用の第１の支持コロ２７は、３インチ用の第２のフランジ部材１ｂの当接部の外周よりも外側の領域に設けられる。
【００７３】
また、このとき、図７に示すように、ロール紙の回転軸の方向から視たときに、２インチ用の第１の支持コロ２７は、２インチ用の第１の支持コロ２７に支持される際の２インチ用の第１のフランジ部材１ａの当接部の外周の最下点であるＱ１が、３インチ用の第２の支持コロ２８に支持される３インチ用の第２のフランジ部材１ｂの当接部の外周の最下点であるＱ２よりも下方側になるように設けられてもよい。
【００７４】
なお、ロール紙の紙管（巻き芯）の内径は２インチ、３インチに限られるものではなく、互いに異なる２種類のサイズであれば他のサイズでもよい。また、互いに異なる２種類の紙管の内径のみならず、３種類以上の複数の種類のロール紙が用いられてもよい。３種類以上の複数の種類のロール紙が用いられる場合、その複数の種類のロール紙の紙管（巻き芯）の内径に対応した複数の種類のフランジ部材が用いられてもよい。
【００７５】
次に、図９を参照し、本実施の形態において、特に２インチ用のロール紙の浮き上がりを防止することができる作用効果について説明する。図９は、本実施の形態に係るロール紙給紙装置において、２インチの内径を有するロール紙が浮き上がりにくくなる作用効果を説明するための図である。
【００７６】
図９に示すように、２インチ用の第１のフランジ部材１ａが第１の点Ｐ１で中継コロ２５に当接する場合と、２インチ用の第１のフランジ部材１ａが３インチ用の第２のフランジ部材１ｂと同じ第２の点Ｐ２で中継コロ２５に当接する場合とを比較する。第１のフランジ部材１ａの質量をｍ、重力加速度をｇとする。また、フランジ部材１ａ（又は１ａ´）の中心Ｃ１（又はＣ１´）と中継コロ２５の中心Ｃ０とを結ぶ直線が、鉛直方向となす角度をθとし、フランジ部材１ａ（又は１ｂ）が第１の点Ｐ１で中継コロ２５に当接する場合のθをθ１、第２の点Ｐ２で中継コロ２５に当接する場合のθをθ２とする。また、Ｐ１の鉛直方向の高さがＰ２の鉛直方向の高さよりも低いことから、θ１＞θ２である。
【００７７】
すると、２インチ用の第１のフランジ部材１ａに働く重力ｍｇのうち、２インチ用の第１のフランジ部材１ａの接線であって第１の点Ｐ１を含むものＬ３に平行な方向に働く成分は、ｍｇ・ｓｉｎθ１である。同様に、２インチ用の第１のフランジ部材１ａ´に働く重力ｍｇのうち、２インチ用の第１のフランジ部材１ａ´の接線であって第２の点Ｐ２を含むものＬ３´に平行な方向に働く成分は、ｍｇ・ｓｉｎθ２である。また、ｍｇ・ｓｉｎθ１＞ｍｇ・ｓｉｎθ２である。
【００７８】
従って、θをθ２からθ１に増大させることによって、フランジに働く重力ｍｇのフランジの中心と中継コロの中心とを結ぶ方向に直交する方向の成分ｍｇ・ｓｉｎθはｍｇ・ｓｉｎθ２からｍｇ・ｓｉｎθ１に増大し、中継コロの第１の支持コロと反対側に浮き上がらせる方向に働く力に対する抗力が増大する。
【００７９】
上記したのは、フランジ部材と中継コロとの間に特に大きな摩擦力を働かせていない場合についてである。一方、前述したように、フランジ部材には、ロール紙を順方向に送り出す送り出し動作時に用紙が弛むことを防止するため、フランジ部材にブレーキをかけている。特に、ロール紙の残量が少なくなった状態では、ロール紙を送り出す力によってフランジ部材の跳ね上がりが発生することがある。フランジ部材の跳ね上がりが発生すると、送り出し動作時に必要なブレーキ力を得ることができなくなり、給紙ローラとフランジ部材との間でロール紙が弛んでしまうという問題がある。
【００８０】
このような場合は、第１のフランジ部材１ａの中心Ｃ１と中継コロ２５の中心Ｃ０とを結ぶ直線の方向に沿って第１のフランジ部材１ａの浮き上がる力Ｆ１が第１のフランジ部材１ａの浮き上がらないで留まる力Ｆ２よりも小さければ第１のフランジ部材１ａの跳ね上がりを防止することができる。浮き上がる力Ｆ１は、給紙ローラ６によりロール紙２から用紙を送り出す力及び方向に依存する。一方、留まる力Ｆ２は、第１のフランジ部材１ａ、中継コロ２５、第１の支持コロ２７の相対位置の関係、第１のフランジ部材１ａに働く重力、第１のフランジ部材１ａと中継コロ２５との間の摩擦係数μ等に依存する。しかしながら、他の条件を一定と仮定するならば、前述したθ１をθ２よりも大きくすることによって、第１のフランジ部材１ａを留まらせる力Ｆ２を増大させることができる。従って、フランジ部材と中継コロとの間に大きな摩擦力がある場合にも、第１のフランジ部材１ａが、第２のフランジ部材１ｂが中継コロ２５に支持される位置Ｐ２よりも低い位置Ｐ１において、中継コロ２５に当接するように設けられることによって、第１のフランジ部材１ａが浮き上がりにくくなる。
【００８１】
また、２インチ用の第１の支持コロ２７及び３インチ用の第２の支持コロ２８は、２インチ用の第１のフランジ部材１ａ又は３インチ用の第２のフランジ部材１ｂのそれぞれに当接する当接面の摩擦係数が互いに異なるように調整したものを用いてもよい。第１の支持コロ２７及び第２の支持コロ２８の当接面の摩擦係数を調整することにより、２インチの第１のロール紙及び３インチの第２のロール紙を用いる際の給紙又は巻戻しの際の用紙の弛みを略等しく防止することができる。
【００８２】
一方、図１０を参照し、このような浮き上がりを防止する効果は、支持コロを１つのみ用いる従来のロール紙給紙装置では、得られないことを説明する。図１０は、従来のロール紙給紙装置において支持コロが１つのみ設けられている例を示す図である。
【００８３】
図１０に示す場合では、２インチ用の第１の支持コロ２７は、２インチの第１のロール紙２ａに対応し、２インチの第１のロール紙２ａに対応する２インチ用の第１のフランジ部材１ａが中継コロ２５に第１の位置Ｐ１で当接するように設けられる。また、３インチ用の第２の支持コロ２８は、３インチの第２のロール紙２ｂに対応し、３インチの第２のロール紙２ｂに対応する３インチ用の第２のフランジ部材１ｂが中継コロ２５に第２の位置Ｐ２で当接するように設けられる。この場合においても、第１の位置Ｐ１の鉛直方向の高さを、第２の位置Ｐ２の鉛直方向の高さよりも低くすることは可能である。また、支持コロ２７が１つのみ設けられる場合でも、中継コロ２５及び支持コロ２７に支持される第１のフランジ部材１ａの重心を、中継コロ２５及び支持コロ２７に支持される第２のフランジ部材１ｂの重心よりも下げることは可能である。
【００８４】
しかし、支持コロ２５を１つしか用いていないため、図１０に示すように、第１のフランジ部材１ａが中継コロ２５に当接する第３の位置Ｐ３の鉛直方向の高さが、第２のフランジ部材１ｂが中継コロ２５に当接する第４の位置Ｐ４の鉛直方向の高さよりも低くなる。また、第１のフランジ部材１ａが支持コロ２７に当接する位置も下方になる。すなわち、支持コロ２７の中心Ｃ３と第１のフランジ部材１ａの中心Ｃ４とを結ぶ直線Ｌ４が鉛直方向Ｌ０となす角度をθ３、支持コロ２７の中心Ｃ３と第２のフランジ部材１ｂの中心Ｃ５とを結ぶ直線Ｌ５が鉛直方向Ｌ０となす角度をθ４とすると、θ３＞θ４である。その結果、第１のフランジ部材１ａが支持コロ２７から受ける直線Ｌ４に沿う力の大きさ及び方向のそれぞれは、第２のフランジ部材１ｂが支持コロ２７から受ける直線Ｌ５に沿う力の大きさ及び方向のそれぞれと異なる。従って、２インチ及び３インチの２種類のロール紙の間で、巻戻し動作の際の前述した留まる力Ｆ２が異なってしまうという問題がある。
【００８５】
さらに、支持コロ２７が１つしかないため、２インチのロール紙を給紙する場合と、３インチのロール紙を給紙する場合との間で、支持コロの表面の摩擦係数を変えることができず、ロール紙の給紙の際の弛みを略等しくなるように調整することができない。
【００８６】
従って、本実施の形態によれば、２インチ及び３インチの２種類のロール紙を給紙する場合に、巻戻しの際の条件も変えることなく、給紙する際のロール紙の浮き上がりを防止することができる。
【００８７】
以上、本実施の形態によれば、異なる２種類の内径のロール紙を給紙する場合に、その２種類のロール紙の間で巻戻し搬送の際の巻戻し条件をあまり変えることなく、その２種類のいずれのロール紙を搬送する場合にも、浮き上がりによる用紙の弛みの発生を略等しく防止することができ、安定してロール紙を搬送することができる。
（第２の実施の形態）
次に、図１１から図１６を参照し、本発明の第２の実施の形態に係るロール紙給装置について説明する。
【００８８】
図１１から図１３は、本実施の形態に係るロール紙給紙装置を、ロール紙の回転軸の方向から視た図である。図１４から図１６は、本実施の形態に係るロール紙給紙装置を、上方から視た上面図である。図１１及び図１４は、フランジ受け台にフランジが載置されていない状態を示す。また、図１２及び図１５は、フランジ受け台に２インチ用の第１のフランジ部材が載置されている状態を示す。図１３及び図１６は、フランジ受け台に３インチ用の第２のフランジ部材が載置されている状態を示す。
【００８９】
本実施の形態に係るロール紙給紙装置は、第１の支持コロ及び第２の支持コロがロール紙の回転軸に垂直な同一の面内に設けられていない点で、第１の実施の形態に係るロール紙給紙装置と相違する。
【００９０】
第１の実施の形態に係るロール紙給紙装置では、第１の支持コロ及び第２の支持コロがロール紙の回転軸に垂直な同一の面内に設けられているのと相違し、本実施の形態に係るロール紙給紙装置においては、第１の支持コロ及び第２の支持コロは、支持されているロール紙の回転軸に垂直であって互いに異なる面内に設けられている。
【００９１】
本実施の形態に係るロール紙給紙装置を備える画像形成装置であるインクジェット方式のプリンタとしては、図１に示す第１の実施の形態に係るインクジェット方式のプリンタと同様の構成にすることができる。
【００９２】
また、本実施の形態に係るロール紙給紙装置のフランジ受け台３ａが、ロールトレイ上８又はロールトレイ下９に設けられた受け台位置決めステー３１の２箇所に設けられている点は、第１の実施の形態に係るロール紙給紙装置と同様である。
【００９３】
なお、本実施の形態に係るフランジ受け台も、第１の実施の形態に係るフランジ受け台と同様に、本発明におけるフランジ受け部に相当する。
【００９４】
一方、本実施の形態に係るロール紙給紙装置のフランジ受け台３ａの構成は、以下の点で、第１の実施の形態に係る構成と異なる。
【００９５】
図１４に示すように、フランジ受け台３ａは、２インチ用の第１のフランジ部材受部４１ａと３インチ用の第２のフランジ部材受部４１ｂを有し、それらを一体形成した構造を有する。第２のフランジ部材受部４１ｂは、第１のフランジ部材受部４１ａよりも支持されるロール紙の回転軸方向に沿う手前側に設けられる。第１の支持コロ２７ａは、第１のフランジ部材受部４１ａに設けられる。第２の支持コロ２８ａは、第２のフランジ部材受部４１ｂに設けられる。
【００９６】
フランジ受け台３ａは、支持されるロール紙の回転軸方向に沿う手前側に手前側収容壁４２を有し、支持されるロール紙の回転軸方向に沿う手前側と反対側であるロール紙の回転軸方向に沿う外側に外側収容壁４３を有する。また、２インチ用の第１のフランジ部材受部４１ａと３インチ用の第２のフランジ部材受部４１ｂとの間の仕切りとして、仕切壁４６を有する。中継コロ２５ａは、第１のフランジ部材受部４１ａ及び第２のフランジ部材受部４１ｂの間を貫通し、第１のフランジ部材受部４１ａ及び第２のフランジ部材受部４１ｂに共通に設けられる。
【００９７】
図１１に示すように、外側収容壁４３には、２インチ用の第１のフランジ部材１ａの当接部３６ａの形状に対応して略半円形の切欠き部４３ａが設けられている。また、手前側収容壁４２には、３インチ用の第２のフランジ部材１ｂの突き当て部３７ｂが手前側収容壁４２と干渉しないように、切欠き部４２ａが設けられている。更に、仕切壁４６にも、２インチ用の第１のフランジ部材１ａの突き当て部３７ａと干渉しないように、切欠き部４６ａが設けられている。
【００９８】
なお、第１のフランジ部材受部４１ａの第１の支持コロ２７ａが設けられている側及び第２のフランジ部材受部４１ｂの第２の支持コロ２８ａが設けられている側にテーパ部３４を設けてもよいこと、並びにフランジ受け台３ａのロール紙の回転軸に沿う手前側にテーパ部３５を設けてもよいことは、第１の実施の形態と同様である。
【００９９】
２インチ用の第１のフランジ部材１ａとフランジ受け台３ａとの関係は、図１２及び図１５に示される。２インチ用の第１のフランジ部材１ａの当接部３６ａは、中継コロ２５ａ及び支持コロ２７ａと当接して回転可能に支持されている。２インチ用の第１のフランジ部材１ａと支持コロ２８ａとは当接（又は接触）していない。また、中継コロ２５ａ及び第１の支持コロ２７ａと当接して回転可能に支持されている当接部３６ａから突き当て部３７ａを介して設けられている嵌合部３８ａが、ロール紙２ａの２インチの内径を有する紙管（巻き芯）２ｃの内部に嵌合している。
【０１００】
３インチ用の第２のフランジ部材１ｂとフランジ受け台３ａとの関係は、図１３及び図１６に示される。３インチ用の第２のフランジ部材１ｂの当接部３６ｂは、中継コロ２５ａ及び支持コロ２８ａと当接して回転可能に支持されている。３インチ用の第２のフランジ部材１ｂと支持コロ２７ａとは当接（又は接触）していない。また、中継コロ２５ａ及び第２の支持コロ２８ａと当接して回転可能に支持されている当接部３６ｂから突き当て部３７ｂを介して設けられている嵌合部３８ｂが、ロール紙２ｂの３インチの内径を有する紙管（巻き芯）２ｄの内部に嵌合している。
【０１０１】
ここで、図１５に示すように、２インチ用の第１のフランジ部材１ａにおいて、径をＬＡ１、中継コロ２５ａ及び第１の支持コロ２７ａに当接する当接部の径をＬＡ２、突き当て部３７ａの長さをＬＡ３とする。また、図１６に示すように、３インチ用の第２のフランジ部材１ｂにおいて、径をＬＢ１、中継コロ２５ａ及び第２の支持コロ２８ａに当接する当接部の径をＬＢ２、突き当て部３７ｂの長さをＬＢ３とする。このとき、２インチ用の第１のフランジ部材１ａは３インチ用の第２のフランジ部材１ｂよりも径が小さいことから、ＬＡ１＜ＬＢ１、ＬＡ２＜ＬＢ２となる。これにより、手前側収容壁４２の切欠き部４２ａは、仕切壁４６の切欠き部４６ａよりも大きく設けられている。
【０１０２】
また、フランジ部材が取り付けられたロール紙の端部が２インチのロール紙の場合も３インチのロール紙の場合も同じ位置になることから、２インチ用の第１のフランジ部材１ａの突き当て部３７ａの長さの方が３インチ用の第２のフランジ部材１ｂの突き当て部３７ｂの長さより長くなる。すなわち、ＬＡ３＞ＬＢ３となる。
【０１０３】
このとき、仕切壁４６の切欠き部４６ａを小さく設け、外側収容壁４３の切欠き部４３ａと同じ形状とすると、２インチ用の第１のフランジ部材１ａの突き当て部３７ａが仕切壁４６と干渉してしまう。一方、仕切壁４６の切欠き部４６ａを大きく設け、手前側収容壁４２の切欠き部４２ａと同じ形状とすると、３インチ用の第２のフランジ部材１ｂを安定して収容することが困難になる。従って、図１１に示すように、仕切壁４６の第１のフランジ部材１ａの突き当て部３７ａと干渉する部分に切欠き部４６ａが設けられ、切欠き部４６ａの両側には、外側収容壁４３と同じ高さの壁部４６ｂが設けられている。これにより、仕切壁４６により３インチ用の第２のフランジ部材１ｂを安定して収容することができるとともに、仕切壁４６と２インチ用の第１のフランジ部材１ａの突き当て部３７ａとが干渉することを防止している。
【０１０４】
本実施の形態においても、ロール紙の回転軸の方向から視た場合におけるフランジ、中継コロ、及び支持コロの関係は、図７に示すような第１の実施の形態における位置関係と同様である。すなわち、ロール紙の回転軸の方向から視たときに、２インチ用の第１のフランジ部材は、３インチ用の第２のフランジ部材が中継コロに当接する位置よりも低い位置で中継コロに当接する。
【０１０５】
従って、第１の実施の形態と同様に、２インチ及び３インチの２種類のロール紙を給紙する場合に、その２種類のロール紙の間で巻戻し搬送の際の巻戻し条件をあまり変えることなく、その２種類のいずれのロール紙を搬送する場合にも、浮き上がりによる用紙の弛みの発生を略等しく防止することができ、安定してロール紙を搬送することができる。
【０１０６】
なお、本実施の形態では、前述したように、第１の実施の形態と同様に、２インチ用の第１のフランジ部材が中継コロに当接する位置を第１の位置とし、３インチ用の第２のフランジ部材が中継コロに当接する位置を第２の位置とするとき、第１の位置の鉛直方向の高さが第２の位置の鉛直方向の高さよりも低い。しかし、本実施の形態では、第１の実施の形態のように、３インチ用の第２のフランジ部材がフランジ受け台に載置された場合における３インチ用の第２のフランジ部材の当接部と２インチ用の第１の支持コロとの干渉による位置の制約がない。従って、第１の位置の鉛直方向の高さは第２の位置の鉛直方向の高さよりも低くなくてもよい。例えば、給紙ローラに給紙される給紙方向等の最適化を行うことにより、第１の位置の鉛直方向の高さを第２の位置の鉛直方向の高さと等しくすることもできる。
【０１０７】
以上、本発明の好ましい実施の形態について記述したが、本発明はかかる特定の実施の形態に限定されるものではなく、特許請求の範囲内に記載された本発明の要旨の範囲内において、種々の変形・変更が可能である。
【０１０８】
例えば、第１の実施の形態および第２の実施の形態では、２インチ用と３インチ用との２つのサイズに対応した第１の支持コロおよび第２の支持コロを有する給紙装置を説明したが、３つ以上の異なるサイズのフランジ部材に対応した支持コロを設けてもよい。その場合、第１の実施の形態または第２の実施の形態における収容壁内に、対応するサイズの数だけ支持コロを複数設けるか、第１の実施の形態と第２の実施の形態における収容壁を組合せてもよい。
【０１０９】
また、前述したように、本発明における画像形成装置は、ロール紙給紙装置からロール紙等のロール型シート媒体を給紙して画像形成する画像形成装置であれば、インクジェット方式のプリンタに限定されるものではなく、ロール紙給紙装置を搭載するプリンタ、プロッタ、ファックス、複写機等の各種の画像形成装置を含む。すなわち、本発明におけるロール紙給紙装置は、プリンタ、プロッタ、ファックス、複写機等の各種の画像形成装置に適用することができる。
【符号の説明】
【０１１０】
１、１ａ、１ｂ  （第１の又は第２の）フランジ部材
２、２ａ、２ｂ  （第１の又は第２の）ロール紙
２ｃ、２ｄ  紙管（巻き芯）
３、３ａ  フランジ受け台
４  巻戻しローラ
５、５ａ、５ｂ  ロール紙給紙部（ロール紙給紙装置）
６  給紙ローラ
７  駆動装置
８  ロールトレイ上
９  ロールトレイ下
１０  用紙テンション付加手段
１１  スプリング
１２  駆動モータ
１３  レジストローラ
１４  レジスト加圧ローラ
１５  ヘッド
１６  キャリッジ
１７  主走査ステー
１８  チャンバー
１９  吸引ファン
２０  カッター
２１  反転排紙用紙ガイド
２２  排紙トレー
２３  画像形成部
２５、２５ａ  中継コロ
２７、２７ａ  第１の支持コロ
２８、２８ａ  第２の支持コロ
３０  インクジェット方式のプリンタ（画像形成装置）
３１  受け台位置決めステー
３２、３３  収容壁
３２ａ、３３ａ  切欠き部
３４、３５  テーパ部
３６ａ、３６ｂ  当接部
３７ａ、３７ｂ  突き当て部
３８  嵌合部
４１ａ  第１のフランジ部材受部
４１ｂ  第２のフランジ部材受部
４２  手前側収容壁
４２ａ、４３ａ、４６ａ  切欠き部
４３  外側収容壁
４６  仕切壁
４６ｂ  壁部
【先行技術文献】
【特許文献】
【０１１１】
【特許文献１】特開２００３−２７６２６４号公報
【図１】
2010284826.tif 000003
【図２】
2010284826.tif 000004
【図３】
2010284826.tif 000005
【図４】
2010284826.tif 000006
【図５】
2010284826.tif 000007
【図６】
2010284826.tif 000008
【図７】
2010284826.tif 000009
【図８】
2010284826.tif 000010
【図９】
2010284826.tif 000011
【図１０】
2010284826.tif 000012
【図１１】
2010284826.tif 000013
【図１２】
2010284826.tif 000014
【図１３】
2010284826.tif 000015
【図１４】
2010284826.tif 000016
【図１５】
2010284826.tif 000017
【図１６】
2010284826.tif 000018